(57)【要約】      （修正有）【課題】筆記具と棒状物の繰出し操作を正確かつ簡単に行うことができる棒状物付筆記具を提供する。【解決手段】筆記具本体１が、筆記体２を備えた先軸部１ａと棒状物３を備えた後軸部１ｂからなり、この後軸部１ｂを先軸部１ａに対し軸中心に回転自在に取り付け、先軸部１ａと後軸部１ｂの相対回転によって筆記具本体１の端部から筆記具あるいは棒状物を繰出し可能とした棒状物付筆記具であって、前記先軸部１ａ又は前記後軸部１ｂの内部には、内筒４を取り付け、該内筒４内には、先軸部側に筆記体２が装着され後軸部側に棒状物３が装着された軸状の摺動部材６を挿入するとともに、前記内筒４の内周面又は前記摺動部材６の外周壁のいずれか一方に筆記具案内用の螺旋溝と、この筆記具案内用の螺旋溝とピッチが異なる棒状物案内用の螺旋溝、他方に前記螺旋溝に係合する突起７を設けた。【選択図】図２
2019155658.tif 000002
【特許請求の範囲】
【請求項１】
筆記具本体が、筆記体を備えた先軸部と棒状物を備えた後軸部からなり、この後軸部を先軸部に対し軸中心に回転自在に取り付け、先軸部と後軸部の相対回転によって筆記具本体の端部から筆記具あるいは棒状物を繰出し可能とした棒状物付筆記具であって、
前記先軸部又は前記後軸部の内部には、内筒を取り付け、
該内筒内には、先軸部側に筆記体が装着され後軸部側に棒状物が装着された軸状の摺動部材を挿入するとともに、
前記内筒の内周面又は前記摺動部材の外周壁のいずれか一方に筆記具案内用の螺旋溝と、この筆記具案内用の螺旋溝とピッチが異なる棒状物案内用の螺旋溝、他方に前記螺旋溝に係合する突起を設けたことを特徴とする棒状物付筆記具。
【請求項２】
筆記具案内用の螺旋溝と棒状物案内用の螺旋溝との連結部には、傾斜のない水平溝部が設けられている請求項１に記載の棒状物付筆記具。
【請求項３】
後軸部の端部には、常に閉じ方向に弾発されているキャップが取り付けられている請求項１または２に記載の棒状物付筆記具。
【発明の詳細な説明】
【技術分野】
【０００１】
本発明は、筆記具と棒状物の繰出し操作を正確かつ簡単に行うことができる棒状物付筆記具に関するものである。
【背景技術】
【０００２】
例えば、特許文献１や特許文献２に示されるように、軸部を回転させることによって先端部から印鑑を繰出すようにした印鑑装置は従来から公知である。
【０００３】
また、特許文献３に示されるように、前記のような印鑑装置と筆記具とを組み合わせて印鑑付筆記具としたものも公知である。この特許文献３には、筆記具の繰出しは軸部の回動により筆記体の前端部を出没させる構造や、先軸に対して後軸をノックすることにより筆記体の先端部を出没させる等の従来知られている構造を用いることができるとの記載がある（明細書第４欄１１〜２２行）。
【０００４】
一方、特許文献４には、筒状容器の両端部に出入口部を回動自在に取り付け、ラセン溝と係合突起との係合により移動体を前後に移動させるとともに、回転方向によって、例えば鉛筆芯と消しゴムのように異なる種類の棒状物を繰出せるようにした棒状物繰出し容器が開示されている。
しかしながら、特許文献４のものでは、異なる種類の棒状物の繰出し量は個々に異なっているのに対し、ラセン溝のピッチが一定であるため、最適な繰出し量を得るには棒状物に応じて回転数を微調整する必要があり、微妙な操作を強いられ操作性が悪いという問題があった。
【先行技術文献】
【特許文献】
【０００５】
【特許文献１】実用新案登録第３０２７３２５号公報
【特許文献２】特許第４２０８８２９号公報
【特許文献３】実用新案登録第２５１０３０１号公報
【特許文献４】実開昭６２−１２７９８１号公報
【発明の概要】
【発明が解決しようとする課題】
【０００６】
本発明は上記のような従来の問題点を解決して、筆記具と棒状物の繰出し量を微調整することなく正確かつ簡単に繰出し操作することが可能で、優れた操作性を発揮することができる棒状物付筆記具を提供することを目的とするものである。
【課題を解決するための手段】
【０００７】
上記課題を解決するためになされた本発明の棒状物付筆記具は、筆記具本体が、筆記体を備えた先軸部と棒状物を備えた後軸部からなり、この後軸部を先軸部に対し軸中心に回転自在に取り付け、先軸部と後軸部の相対回転によって筆記具本体の端部から筆記具あるいは棒状物を繰出し可能とした棒状物付筆記具であって、
前記先軸部又は前記後軸部の内部には、内筒を取り付け、
該内筒内には、先軸部側に筆記体が装着され後軸部側に棒状物が装着された軸状の摺動部材を挿入するとともに、
前記内筒の内周面又は前記摺動部材の外周壁のいずれか一方に筆記具案内用の螺旋溝と、この筆記具案内用の螺旋溝とピッチが異なる棒状物案内用の螺旋溝、他方に前記螺旋溝に係合する突起を設けたことを特徴とするものであり、これを請求項１に係る発明とする。
【０００８】
好ましい実施形態によれば、筆記具案内用の螺旋溝と棒状物案内用の螺旋溝との連結部には、傾斜のない水平溝部が設けられているものが好ましく、これを請求項２に係る発明とする。
【０００９】
また、その他の好ましい実施形態によれば、後軸部の端部には、常に閉じ方向に弾発されているキャップが取り付けられているものが好ましく、これを請求項３に係る発明とする。
【発明の効果】
【００１０】
請求項１に係る発明では、筆記具本体が、筆記体を備えた先軸部と棒状物を備えた後軸部からなり、この後軸部を先軸部に対し軸中心に回転自在に取り付け、先軸部と後軸部の相対回転によって筆記具本体の端部から筆記具あるいは棒状物を繰出し可能とした棒状物付筆記具であって、前記先軸部又は前記後軸部の内部には、内筒を取り付け、該内筒内には、先軸部側に筆記体が装着され後軸部側に棒状物が装着された軸状の摺動部材を挿入するとともに、前記内筒の内周面又は前記摺動部材の外周壁のいずれか一方に筆記具案内用の螺旋溝と、この筆記具案内用の螺旋溝とピッチが異なる棒状物案内用の螺旋溝、他方に前記螺旋溝に係合する突起を設けたので、２種類の螺旋溝の設定により、筆記体と棒状物に必要な突出量が異なっているにも関わらず、一定の回転量でそれぞれ最適な量で突出させることができ、繰出し操作を正確かつ簡単に行うことができる。
【００１１】
また、請求項２に係る発明では、筆記具案内用の螺旋溝と棒状物案内用の螺旋溝との連結部には、傾斜のない水平溝部が設けられているものとしたので、前記水平溝部で筆記体と棒状物のいずれもが繰出さないニュートラル位置を確認することができ、優れた操作性を発揮することができる。
【００１２】
また、請求項３に係る発明では、後軸部の端部には、常に閉じ方向に弾発されているキャップが取り付けられているものとしたので、押印時を除き常時は棒状物がキャップに保護されて破損や汚れを防止することができる。
【図面の簡単な説明】
【００１３】
【図１】本発明の実施の形態を示す正面図である。
【図２】本発明の実施の形態を示す中央縦断面図である。
【図３】（ａ）は本発明の実施の形態を示す右側面図であり、（ｂ）はＡ−Ａ断面図、（ｃ）はＢ−Ｂ断面図、（ｄ）は、Ｃ−Ｃ断面図である。
【図４】（ａ）は摺動部材の正面図、（ｂ）は平面図、（ｃ）は底面図、（ｄ）は左側面図である。
【図５】（ａ）はスライダーの平面図、（ｂ）は正面図、（ｃ）は左側面図である。
【発明を実施するための形態】
【００１４】
以下に、図面を参照しつつ本発明の好ましい実施の形態を示す。
図１は本発明の一例として棒状物が印鑑である棒状物付筆記具を示す正面図で、図２は図１の中央縦断面図である。図において、１は筆記具本体で、この筆記具本体１は筆記体２を備えた先軸部１ａと棒状物３（印鑑）を備えた後軸部１ｂからなる。前記先軸部１ａと前記後軸部１ｂの間には、前記先軸部１ａに回動自在に嵌合され、前記後軸部１ｂに回動不能に嵌合固定された中軸部１ｃが取り付けられている。また、先軸部１ａと中軸部１ｃの相対回転によって筆記具本体１の端部から筆記具２あるいは棒状物３（印鑑）が繰出し可能な構造となっている。なお。図示のものでは筆記具２としてリフィルの場合を例示している。
【００１５】
前記後軸部１ｂの内部には、内筒４が一体成型されている。また、前記中軸部１ｃの内部には、筒状ガイド部材１１が一体成型されている。図３に示されるように、前記内筒４及び前記筒状ガイド部材１１は互いに連結されることで筆記具案内用の螺旋溝５ａと、この筆記具案内用の螺旋溝５ａよりはピッチが大きい棒状物案内用の螺旋溝５ｂが連続するように形成されている。なお、前記中軸部１ｃは前記後軸部１ｂと一体成型として構成されていても良く、その場合当然、前記筒状ガイド部材１１もまた前記内筒４の一体として構成される。
本明細書でいう螺旋溝のピッチとは、内筒４の軸方向に対して垂直な面を基準（０度）として、この垂直面に対する螺旋溝の傾斜角度を意味しており、棒状物案内用の螺旋溝５ｂの傾斜角度が筆記具案内用の螺旋溝５ａの傾斜角度よりも大きいという意味である。
【００１６】
また、筆記具案内用の螺旋溝５ａと棒状物案内用の螺旋溝５ｂとの連結部には、傾斜のない水平溝部５ｃが設けられている。この水平溝部５ｃにより、筆記体と棒状物のいずれもが繰出さないニュートラル位置を確認することができるので、優れた操作性を発揮することができる。
【００１７】
前記内筒４内及び前記筒状ガイド部材１１で形成された筒体内には、先軸部１ａ側に筆記体２が装着され、後軸部１ｂ側に棒状物３（印鑑）が装着された軸状の摺動部材６が挿入されている。図４に示されるように、この摺動部材６は筆記体２を装着する筆記体保持部６ａと、棒状物３を装着する棒状物保持部６ｂからなり、外周壁には突起７が突設されている。
【００１８】
この摺動部材６の突起７は、前記螺旋溝５ａ、６ｂに係合させられており、後軸部１ｂを回転させると突起７が螺旋溝５ａ、６ｂに案内されて移動し、この結果、摺動部材６が筆記具本体１内を前後に移動する構造となっている。
【００１９】
なお、前記摺動部材６の前方部（先軸部１ａ側）にはスライダー８が装着されている。このスライダー８は、図５に示されるように、外周壁に２個の突起９が突設されており、筆記具本体１の内周壁に設けられた直線状のスリット溝１０に挿入されている。この結果、摺動部材６は前記スリット溝１０に案内されて筆記具本体１内を直線的に前後に移動する構造となっている。尚、前記スライダー８を、前記摺動部材６の後方部（後軸部１ｂ側）に装着することも可能であり、その場合、螺旋溝を設けた前記内筒４は、先軸部１ａの内部に取り付ければよい。
【００２０】
また、後軸部１ｂの端部には、常に閉じ方向に弾発されているキャップが取り付けられており、押印時を除き常時は棒状物３（印鑑）がキャップに保護されて破損や汚れを防止するように構成されている。なお、１３は弾発力を付与するためのねじりバネである。
【００２１】
以上のように構成した棒状物付筆記具は、先軸部と後軸部の相対回転によって筆記具本体の端部から筆記具あるいは棒状物を繰出し可能としたものであり、後軸部を筆記具繰出し側へ回転すると筆記具の先端が突出し、反対側へ回転すると棒状物の先端が突出する。
この場合、筆記具の繰出し量と棒状物の繰出し量とは異なるが、本発明では内筒の内周面に筆記具案内用の螺旋溝と、この筆記具案内用の螺旋溝よりはピッチが大きい棒状物案内用の螺旋溝が連続して形成されていて、それぞれの繰出し量が最適となるように設計してある。この結果、後軸部を止まるまで完全に回転させると、筆記具の繰出し量は短く、一方、棒状物の繰出し量は長くなってそれぞれの最適位置まで突出することになる。このように、本発明では筆記具と棒状物の繰出し量を微調整することなく正確かつ簡単に繰出し操作することが可能で、優れた操作性を発揮することが可能となる。
なお、以上は筆記具案内用の螺旋溝よりはピッチが大きい棒状物案内用の螺旋溝を連続して形成した場合について説明したが、筆記具案内用の螺旋溝よりはピッチが小さい棒状物案内用の螺旋溝を連続して形成できることは勿論である。
【符号の説明】
【００２２】
１  筆記具本体
１ａ  先軸部
１ｂ  後軸部
１ｃ  中軸部
２  筆記体
３  棒状物
４  内筒
５ａ  筆記具案内用の螺旋溝
５ｂ  棒状物案内用の螺旋溝
５ｃ  水平溝部
６  摺動部材
６ａ  筆記体保持部
６ｂ  棒状物保持部
７  突起
８  スライダー
９  突起
１０  スリット溝
１１  筒状ガイド部材
１２  キャップ
【図１】
2019155658.tif 000003
【図２】
2019155658.tif 000004
【図３】
2019155658.tif 000005
【図４】
2019155658.tif 000006
【図５】
2019155658.tif 000007